(57)【要約】【課題】所望の画像を選択して表示部に表示する手間を削減し、操作性の向上を図る。【解決手段】本発明に係る画像表示装置１０は、表示領域１１ａを備えた表示部１１と、表示領域１１ａに対するタッチ操作を受け付ける操作部１２と、複数の画像と、複数の画像それぞれに所定の順番で割り当てられた画像番号とを対応付けて格納する格納部１３と、先頭の画像番号が一端に配置され、最終の画像番号が他端に配置された画像番号表示エリア３１と、画像を表示する画像表示エリア３２とを含む表示画面３０を表示領域１１ａに表示する表示制御部１５とを備え、表示制御部１５は、画像番号表示エリア３１へのタッチ操作が行われると、画像番号表示エリアにおけるタッチ操作によるタッチ位置と、最終の画像番号とに基づいて、タッチ位置に応じた画像番号を特定し、特定した画像番号に対応付けて格納部１３に格納されている画像を画像表示エリア３２に表示する。【選択図】図１
2019185566.tif 000002
【特許請求の範囲】
【請求項１】
表示領域を備えた表示部と、
前記表示領域に対するタッチ操作を受け付ける操作部と、
複数の画像と、前記複数の画像それぞれに所定の順番で割り当てられた画像番号とを対応付けて格納する格納部と、
前記格納部に格納されている画像番号のうち、先頭の画像番号が一端に配置され、最終の画像番号が他端に配置された画像番号表示エリアと、前記格納部に格納されている画像を表示する画像表示エリアとを含む表示画面を前記表示領域に表示する表示制御部と、を備え、
前記表示制御部は、前記画像番号表示エリアへのタッチ操作が行われると、前記格納部に格納されている画像番号の中から、前記画像番号表示エリアにおける前記一端から前記他端に向かう方向における前記タッチ操作によるタッチ位置と、前記最終の画像番号とに基づいて、前記タッチ位置に応じた画像番号を特定し、該特定した画像番号に対応付けて前記格納部に格納されている画像を前記画像表示エリアに表示することを特徴とする画像表示装置。
【請求項２】
請求項１に記載の画像表示装置において、
前記表示制御部は、前記画像表示エリアに表示中の画像の画像番号を、前記画像番号表示エリアに表示することを特徴とする画像表示装置。
【請求項３】
請求項２に記載の画像表示装置において、
前記表示制御部は、前記画像表示エリアに表示中の画像の画像番号を、前記画像番号表示エリア内で、前記画像番号に応じた位置に表示することを特徴とする画像表示装置。
【請求項４】
請求項１から３のいずれか一項に記載の画像表示装置において、
前記表示制御部は、前記画像表示エリアに表示される画像の画像番号を、前記画像表示エリアに表示中の画像の画像番号から増減させる画像送りエリアを前記表示画面にさらに含めることを特徴とする画像表示装置。
【請求項５】
請求項１から４のいずれか一項に記載の画像表示装置において、
前記画像番号表示エリアは、所定方向に延在し、
前記表示制御部は、前記所定方向に延在し、前記画像番号表示エリアの一端を原点とする座標軸における、前記画像番号表示エリアの他端の座標と、前記タッチ位置の座標と、前記最終の画像番号とに基づき、前記タッチ位置に応じた画像番号を特定することを特徴とする画像表示装置。
【請求項６】
表示領域を備えた表示部と、前記表示領域に対するタッチ操作を受け付ける操作部とを備える画像表示装置における画像表示方法であって、
複数の画像と、前記複数の画像それぞれに所定の順番で割り当てられた画像番号とを対応付けて格納するステップと、
前記格納されている画像番号のうち、先頭の画像番号が一端に配置され、最終の画像番号が他端に配置された画像番号表示エリアと、前記格納されている画像を表示する画像表示エリアとを含む表示画面を前記表示領域に表示するステップと、
前記画像番号表示エリアへのタッチ操作が行われると、前記格納されている画像番号の中から、前記画像番号表示エリアにおける前記一端から前記他端に向かう方向における前記タッチ操作によるタッチ位置と、前記最終の画像番号とに基づいて、前記タッチ位置に応じた画像番号を特定し、該特定した画像番号に対応付けて前記格納されている画像を前記画像表示エリアに表示するステップと、を含むことを特徴とする画像表示方法。
【請求項７】
表示領域を備えた表示部と、前記表示領域に対するタッチ操作を受け付ける操作部とを備える画像表示装置のコンピュータに、
複数の画像と、前記複数の画像それぞれに所定の順番で割り当てられた画像番号とを対応付けて格納するステップと、
前記格納されている画像番号のうち、先頭の画像番号が一端に配置され、最終の画像番号が他端に配置された画像番号表示エリアと、前記格納されている画像を表示する画像表示エリアとを含む表示画面を前記表示領域に表示するステップと、
前記画像番号表示エリアへのタッチ操作が行われると、前記格納されている画像番号の中から、前記画像番号表示エリアにおける前記一端から前記他端に向かう方向における前記タッチ操作によるタッチ位置と、前記最終の画像番号とに基づいて、前記タッチ位置に応じた画像番号を特定し、該特定した画像番号に対応付けて前記格納されている画像を前記画像表示エリアに表示するステップと、を実行させる画像表示プログラム。
【発明の詳細な説明】
【技術分野】
【０００１】
本発明は、画像表示装置、画像表示方法および画像表示プログラムに関する。
【背景技術】
【０００２】
電力測定器などの測定器には、測定結果などを表示するために、表示部を備える画像表示装置が搭載されることがある。例えば、特許文献１には、表示部を備えた光パルス試験器が記載されている。特許文献１に記載の光パルス試験器は、検出する光の強度が変化するイベントを示す複数のアイコンがスクロール可能に表示されるイベント表示領域と、イベントの情報が表示される情報表示領域とを表示部に表示し、選択されたアイコンに対応するイベントの情報を情報表示領域に表示する。
【先行技術文献】
【特許文献】
【０００３】
【特許文献１】特開２０１７−１０６７８４号公報
【発明の概要】
【発明が解決しようとする課題】
【０００４】
上述したような画像表示装置においては、操作者が所望の画像を選択して表示部に表示するための手間を削減し、操作性の向上を図ることが求められている。特許文献１に記載の光パルス試験器においては、イベント表示領域に多数のアイコンが表示されている場合、操作者が所望の情報を表示するためには、アイコンのスクロールを繰り返す手間が生じ、操作性の向上の余地があった。
【０００５】
上記のような問題点に鑑みてなされた本発明の目的は、所望の画像を選択して表示部に表示するための手間を削減し、操作性の向上を図ることができる画像表示装置、画像表示方法および画像表示プログラムを提供することにある。
【課題を解決するための手段】
【０００６】
本発明の第１の態様としての画像表示装置は、表示領域を備えた表示部と、前記表示領域に対するタッチ操作を受け付ける操作部と、複数の画像と、前記複数の画像それぞれに所定の順番で割り当てられた画像番号とを対応付けて格納する格納部と、前記格納部に格納されている画像番号のうち、先頭の画像番号が一端に配置され、最終の画像番号が他端に配置された画像番号表示エリアと、前記格納部に格納されている画像を表示する画像表示エリアとを含む表示画面を前記表示領域に表示する表示制御部と、を備え、前記表示制御部は、前記画像番号表示エリアへのタッチ操作が行われると、前記格納部に格納されている画像番号の中から、前記画像番号表示エリアにおける前記一端から前記他端に向かう方向における前記タッチ操作によるタッチ位置と、前記最終の画像番号とに基づいて、前記タッチ位置に応じた画像番号を特定し、該特定した画像番号に対応付けて前記格納部に格納されている画像を前記画像表示エリアに表示する。
【０００７】
本発明の一実施形態としての画像表示装置において、前記表示制御部は、前記画像表示エリアに表示中の画像の画像番号を、前記画像番号表示エリアに表示する。
【０００８】
本発明の一実施形態としての画像表示装置において、前記表示制御部は、前記画像表示エリアに表示中の画像の画像番号を、前記画像番号表示エリア内で、前記画像番号に応じた位置に表示する。
【０００９】
本発明の一実施形態としての画像表示装置において、前記表示制御部は、前記画像表示エリアに表示される画像の画像番号を、前記画像表示エリアに表示中の画像の画像番号から増減させる画像送りエリアを前記表示画面にさらに含める。
【００１０】
本発明の一実施形態としての画像表示装置において、前記画像番号表示エリアは、所定方向に延在し、前記表示制御部は、前記所定方向に延在し、前記画像番号表示エリアの一端を原点とする座標軸における、前記画像番号表示エリアの他端の座標と、前記タッチ位置の座標と、前記最終の画像番号とに基づき、前記タッチ位置に応じた画像番号を特定する。
【００１１】
本発明の第２の態様としての画像表示方法は、表示領域を備えた表示部と、前記表示領域に対するタッチ操作を受け付ける操作部とを備える画像表示装置における画像表示方法であって、複数の画像と、前記複数の画像それぞれに所定の順番で割り当てられた画像番号とを対応付けて格納するステップと、前記格納されている画像番号のうち、先頭の画像番号が一端に配置され、最終の画像番号が他端に配置された画像番号表示エリアと、前記格納されている画像を表示する画像表示エリアとを含む表示画面を前記表示領域に表示するステップと、前記画像番号表示エリアへのタッチ操作が行われると、前記格納されている画像番号の中から、前記画像番号表示エリアにおける前記一端から前記他端に向かう方向における前記タッチ操作によるタッチ位置と、前記最終の画像番号とに基づいて、前記タッチ位置に応じた画像番号を特定し、該特定した画像番号に対応付けて前記格納されている画像を前記画像表示エリアに表示するステップと、を含む。
【００１２】
本発明の第３の態様としての画像表示プログラムは、表示領域を備えた表示部と、前記表示領域に対するタッチ操作を受け付ける操作部とを備える画像表示装置のコンピュータに、複数の画像と、前記複数の画像それぞれに所定の順番で割り当てられた画像番号とを対応付けて格納するステップと、前記格納されている画像番号のうち、先頭の画像番号が一端に配置され、最終の画像番号が他端に配置された画像番号表示エリアと、前記格納されている画像を表示する画像表示エリアとを含む表示画面を前記表示領域に表示するステップと、前記画像番号表示エリアへのタッチ操作が行われると、前記格納されている画像番号の中から、前記画像番号表示エリアにおける前記一端から前記他端に向かう方向における前記タッチ操作によるタッチ位置と、前記最終の画像番号とに基づいて、前記タッチ位置に応じた画像番号を特定し、該特定した画像番号に対応付けて前記格納されている画像を前記画像表示エリアに表示するステップと、を実行させる。
【発明の効果】
【００１３】
本発明に係る画像表示装置、画像表示方法および画像表示プログラムによれば、所望の画像を選択して表示部に表示するための手間を削減し、操作性の向上を図ることができる。
【図面の簡単な説明】
【００１４】
【図１】本発明の一実施形態に係る画像表示装置の構成の一例を示す機能ブロック図である。
【図２】図１に示す画像表示装置が搭載される測定器の外観の一例を示す図である。
【図３】図１に示す表示制御部が表示部に表示する表示画面の一例を示す図である。
【図４】参考例としての画像表示装置の構成の一例を示す機能ブロック図である。
【図５Ａ】図４に示す表示制御部が表示部に表示する表示画面の一例を示す図である。
【図５Ｂ】図４に示す表示制御部が表示部に表示する表示画面の他の一例を示す図である。
【図５Ｃ】図５Ｂに示す表示画面の遷移の一例を示す図である。
【図６Ａ】図４に示す画像表示装置の動作の一例を示すフローチャート（その１）である。
【図６Ｂ】図４に示す画像表示装置の動作の一例を示すフローチャート（その２）である。
【図７Ａ】図１に示す画像表示装置の動作の一例を示すフローチャート（その１）である。
【図７Ｂ】図１に示す画像表示装置の動作の一例を示すフローチャート（その２）である。
【図８Ａ】図１に示す画像表示装置における、画像番号表示エリアに対するタッチ操作に応じた表示部の表示の遷移の一例を示す図である。
【図８Ｂ】図１に示す画像表示装置における、画像送りエリアに対するタッチ操作に応じた表示部の表示の遷移の一例を示す図である。
【図９Ａ】図１に示す表示部による、測定器の測定値を示す画像の表示例を示す図である。
【図９Ｂ】図１に示す表示部による、波形表示を示す画像の表示例を示す図である。
【図９Ｃ】図１に示す表示部による、ベクトル表示を示す画像の表示例を示す図である。
【図９Ｄ】図１に示す表示部による、バーグラフ表示を示す画像の表示例を示す図である。
【図９Ｅ】図１に示す表示部による、トレンド表示を示す画像の表示例を示す図である。
【図９Ｆ】図１に示す表示部による、測定器の測定値を示す画像と、波形表示を示す画像との分割画面表示の一例を示す図である。
【図９Ｇ】図１に示す表示部による、測定器の測定値を示す画像と、ベクトル表示を示す画像との分割画面表示の一例を示す図である。
【発明を実施するための形態】
【００１５】
以下、本発明を実施するための形態について、図面を参照しながら説明する。
【００１６】
図１は、本発明の一実施形態に係る画像表示装置１０の構成の一例を示す機能ブロック図である。本実施形態に係る画像表示装置１０は、電力測定器などの測定器に搭載され、測定器の測定結果を示す画像などを表示する。画像表示装置１０は、測定器以外の電子機器に搭載されてもよい。
【００１７】
図１に示す画像表示装置１０は、表示部１１と、操作部１２と、格納部１３と、操作情報検出部１４と、表示制御部１５とを備える。
【００１８】
表示部１１は、表示制御部１５の制御に従い、種々の表示画面を表示領域に表示する。
【００１９】
図２は、画像表示装置１０が搭載された測定器２０の外観の一例を示す図である。測定器２０は、例えば、電気製品の消費電力の測定、パワーコンディショナの直流／交流の変換効率の測定などに用いられる電力測定器である。
【００２０】
表示部１１は、測定器２０の一面に、表示領域１１ａが視認可能なように設けられる。なお、測定器２０には、種々の操作入力を行うためのキー２１が設けられていてもよい。
【００２１】
図３は、表示部１１が表示する表示画面３０の一例を示す図である。
【００２２】
表示部１１は、図３に示すように、画像番号表示エリア３１と、画像表示エリア３２と、画像送りエリア３３とを含む表示画面３０を表示する。各エリアの詳細については後述する。
【００２３】
図１を再び参照すると、操作部１２は、表示部１１の表示領域１１ａに対するタッチ操作を受け付ける。具体的には、操作部１２は、表示部１１の表示領域１１ａに対するタッチ操作が行われると、タッチ操作によるタッチ位置に応じた信号を、操作情報検出部１４に出力する。操作部１２は、例えば、指、スタイラスペンなどの指示体の接触または近接を検出するタッチセンサである。表示部１１と操作部１２とはいわゆるタッチパネルとして一体的に構成されてもよい。
【００２４】
格納部１３は、表示部１１に表示する複数の画像と、その複数の画像それぞれに所定の順番で割り当てられた画像番号とを対応付けて格納する。また、格納部１３は、表示部１１に表示する画像それぞれにおける表示項目などを格納する。
【００２５】
測定器２０の中には、測定器２０の測定結果を種々の表示態様で表示する機能を有するものがある。測定器２０の測定結果の表示態様としては、測定器２０の測定結果を数値で示す態様、測定器２０の測定結果をグラフで示す態様、測定器２０の測定結果を数値とグラフとを組み合わせて示す態様などの種々の態様がある。操作者は、どのような表示態様で測定器２０の測定結果を表示するかを設定することができる。格納部１３は、例えば、操作者により設定された表示態様で測定器２０の測定結果を示す画像と、その画像に所定の順番で割り当てられた画像番号とを対応付けて格納する。所定の順番は、例えば、操作者により設定された順、操作者により設定された優先度順などがある。この場合、操作者は、表示対象として設定した画像と、その画像に割り当てられた画像番号との対応付けを把握することができる。そのため、操作者は、予め把握している画像と画像番号との対応付けに従い、所望の画像を表示部１１に表示させるための操作を行うことができる。
【００２６】
操作情報検出部１４は、操作部１２から出力された信号に基づき、タッチ操作によるタッチ位置（タップ位置）の座標を操作情報として検出し、検出結果を表示制御部１５に出力する。操作情報検出部１４は、タップ位置検出部１４１を備える。
【００２７】
タップ位置検出部１４１は、操作部１２から出力された信号に基づき、タッチ操作によるタッチ位置（タップ位置）の座標を検出し、操作情報として表示制御部１５に出力する。
【００２８】
表示制御部１５は、図３を参照して説明した表示画面３０を表示部１１に表示させる。上述したように、図３に示す表示画面３０は、画像番号表示エリア３１と、画像表示エリア３２と、画像送りエリア３３とを含む。ただし、表示画面３０は、画像送りエリア３３を含んでいなくてもよい。
【００２９】
画像番号表示エリア３１は、格納部１３に格納された画像番号が表示されるエリアである。画像番号表示エリア３１は、画像と対応付けて格納部１３に格納されている画像番号の中から、操作者が表示を希望する画像の画像番号を指定する操作入力に用いられるエリアである。
【００３０】
画像番号表示エリア３１は、例えば、図３に示すように、所定方向（図３では、紙面上下方向）に延在する、細長の矩形形状のエリアである。画像番号表示エリア３１が延在する所定方向の一端３１ａ（図３の例では、上方向の端部。以下では、上端３１ａと称することもある）には、格納部１３に格納されている先頭の画像番号３４（図３の例では、画像番号「１」）が配置される。また、画像番号表示エリア３１が延在する所定方向の他端３１ｂ（図３の例では、下方向の端部。以下では、下端３１ｂと称することもある。）には、格納部１３に格納されている最終の画像番号３５（図３の例では、画像番号「１０」）が配置される。また、先頭の画像番号３４と最終の画像番号３５との間には、破線３８が配置される。
【００３１】
画像表示エリア３２は、格納部１３に格納されている画像（表示対象の画像）を表示するエリアである。
【００３２】
すなわち、表示制御部１５は、格納部１３に格納されている画像番号のうち、先頭の画像番号が一端３１ａに配置され、最終の画像番号が他端３１ｂに配置された画像番号表示エリア３１と、格納部１３に格納されている画像を表示する画像表示エリア３２とを含む表示画面３０を表示部１１の表示領域１１ａに表示する。表示制御部１５は、画像番号表示エリア３１へのタッチ操作が行われると、格納部１３に格納されている画像番号の中から、画像番号表示エリア３１の一端３１ａから他端３１ｂに向かう方向におけるタッチ操作によるタッチ位置と、最終の画像番号とに基づき、タッチ位置に応じた画像番号を特定し、特定した画像番号に対応付けて格納部１３に格納されている画像を画像表示エリア３２に表示する。なお、表示制御部１５は、操作情報検出部１４から出力される操作情報に基づき、表示領域１１ａへのタッチ操作によるタッチ位置を特定する。なお、タッチ位置に応じた画像番号の特定の詳細については後述する。
【００３３】
また、表示制御部１５は、画像表示エリア３２に表示中の画像の画像番号（図３の例では、画像番号「５」）を画像番号表示エリア３１に表示する。さらに、表示制御部１５は、画像番号表示エリア３１に表示された、画像表示エリア３２に表示中の画像の画像番号を指し示すカーソル３６（指示画像）を、画像表示エリア３２に表示中の画像の画像番号に重畳して表示する。画像表示エリア３２に表示中の画像の画像番号は、カーソル３６が重畳されることで、例えば、先頭および最終の画像番号と表示色が反転して表示される。ここで、表示制御部１５は、画像表示エリア３２に表示中の画像の画像番号を、その画像番号に応じた位置に表示する。
【００３４】
表示画面３０は、図３に示すように、画像送りエリア３３をさらに含む。
【００３５】
画像送りエリア３３は、画像表示エリア３２に表示される画像の画像番号を、画像表示エリア３２に表示中の画像の画像番号（図３の例では、画像番号「５」）から増減させる操作入力に用いられるエリアである。すなわち、表示制御部１５は、表示画面３０に、画像表示エリア３２に表示される画像の画像番号を、画像表示エリア３２に表示中の画像の画像番号から増減させる画像送りエリア３３をさらに含める。
【００３６】
画像送りエリア３３は、画像番号表示エリア３１の一端３１ａ側に設けられた画像送りエリア３３ａと、画像番号表示エリア３１の他端３１ｂ側に設けられた画像送りエリア３３ｂとを含む。表示制御部１５は、画像送りエリア３３ａへのタッチ操作が行われると、画像表示エリア３２に表示される画像の画像番号を、画像表示エリア３２に表示中の画像の画像番号から、所定数だけ（例えば、１だけ）減少させる。すなわち、表示制御部１５は、画像送りエリア３３ａへのタッチ操作が行われると、画像表示エリア３２に表示中の画像の画像番号を所定数だけ減少させた画像番号の画像を、画像表示エリア３２に表示する。また、表示制御部１５は、画像送りエリア３３ｂへのタッチ操作が行われると、画像表示エリア３２に表示される画像の画像番号を、画像表示エリア３２に表示中の画像の画像番号から、所定数だけ（例えば、１だけ）増加させる。すなわち、表示制御部１５は、画像送りエリア３３ｂへのタッチ操作が行われると、画像表示エリア３２に表示中の画像の画像番号を所定数だけ増加させた画像番号の画像を、画像表示エリア３２に表示する。また、表示制御部３５は、画像送りエリア３３ａまたは画像送りエリア３３ｂへのタッチ操作により、画像表示エリア３２に表示した画像の画像番号を、その画像番号に応じた位置に表示する。なお、画像表示エリア３２に表示中の画像の画像番号の表示位置の特定の詳細については後述する。
【００３７】
表示制御部１５は、表示項目取得・設定部１５１と、画像番号取得・設定部１５２と、画像番号表示位置取得・設定部１５３とを備える。
【００３８】
表示項目取得・設定部１５１は、格納部１３を参照し、画像表示エリア３２に表示する画像の表示項目を取得し、取得した表示項目が画像表示エリア３２に表示されるように、表示画面３０の設定を行う。
【００３９】
画像番号取得・設定部１５２は、画像番号表示エリア３１へのタッチ操作が行われると、格納部１３に格納されている画像番号の中から、操作情報検出部１４（タップ位置検出部１４１）により検出されたタッチ操作によるタッチ位置（タップ位置）と、最終の画像番号とに基づき、タッチ位置に応じた画像番号を特定（取得）し、特定した画像番号が画像番号表示エリア３１に表示されるように、表示画面３０の設定を行う。
【００４０】
画像番号表示位置取得・設定部１５３は、画像表示エリア３２に表示中の画像の画像番号を画像番号表示エリア３１に表示する表示位置を特定（取得）し、特定した位置に画像表示エリア３２に表示中の画像の画像番号が表示されるように表示画面３０の設定を行う。
【００４１】
次に、本実施形態に係る画像表示装置１０の動作について説明する。まず、比較のために、参考例としての画像表示装置１０Ａについて説明する。
【００４２】
図４は、画像表示装置１０Ａの構成の一例を示す機能ブロック図である。図４において、図１と同様の構成については同じ符号を付し、説明を省略する。
【００４３】
図４に示す画像表示装置１０Ａは、表示部１１と、操作部１２と、格納部１３と、操作情報検出部１４と、表示制御部１５Ａと、を備える。すなわち、図４に示す画像表示装置１０Ａは、図１に示す画像表示装置１０と比較して、表示制御部１５を表示制御部１５Ａに変更した点が異なる。
【００４４】
表示制御部１５Ａは、格納部１３に格納された画像などを表示するための表示画面を表示部１１に表示する。
【００４５】
図５Ａは、表示制御部１５Ａが表示部１１に表示する表示画面３０Ａの一例を示す図である。図５Ａにおいては、格納部１３に格納された画像の総数が５であるとする。
【００４６】
表示画面３０Ａは、画像番号表示エリア３１Ａと、画像表示エリア３２とを含む。
【００４７】
画像番号表示エリア３１Ａは、格納部１３に格納された画像番号が表示されるエリアである。画像番号表示エリア３１Ａには、画像に対応付けて格納部１３に格納された画像番号が先頭の画像番号（画像番号「１」）から順に配置される。
【００４８】
画像表示エリア３２は、格納部１３に格納されている画像を表示するエリアである。
【００４９】
表示制御部１５Ａは、画像番号表示エリア３１Ａへのタッチ操作が行われると、格納部１３に格納されている画像番号の中から、タッチ操作によりタッチされた（タップされた）画像番号を特定し、特定した画像番号に対応付けて格納部１３に格納されている画像を画像表示エリア３２に表示する。また、表示制御部１５Ａは、画像表示エリア３２に表示中の画像の画像番号を指し示すカーソル３６を、タップされた画像番号に重畳して表示する。図５Ａの例では、画像番号１の画像が画像表示エリア３２に表示されていることが分かる。
【００５０】
タッチ操作における操作性などを考慮すると、画像番号表示エリア３１Ａに表示する画像番号のサイズは、操作者が各画像番号を区別してタップするために、ある程度の大きさ（例えば、１０ｍｍ四方）を有する必要がある。また、表示部１１の表示領域１１ａのサイズの制限から、画像番号表示エリア３１Ａに表示可能な画像番号の数は制限される。そのため、画像に対応付けて格納部１３に格納されている画像番号の数が、画像番号表示エリア３１Ａに表示可能な画像番号の数よりも多い場合がある。この場合、表示制御部１５Ａは、図５Ｂに示すように、スクロールエリア３７を表示画面３０Ａに含める。
【００５１】
スクロールエリア３７は、画像番号表示エリア３１Ａの一端３１ａ側に設けられたスクロールエリア３７ａと、画像番号表示エリア３１Ａの他端３１ｂ側に設けられたスクロールエリア３７ｂとを含む。表示制御部１５Ａは、画像番号表示エリア３１Ａには、表示可能な最大数の画像番号を表示する。図５Ｂに示す例では、格納部１３に格納されている画像番号の数が９であり、画像番号表示エリア３１Ａに表示可能な画像番号の数が６であるとする。この場合、表示制御部１５Ａは、画像番号「１」〜「６」を画像番号表示エリア３１Ａに表示し、残りの画像番号「７」〜「９」については、画像番号表示エリア３１Ａに表示しない。表示制御部１５Ａは、例えば、スクロールエリア３７ａに対するタッチ操作が行われると、画像番号表示エリア３１Ａに表示される画像番号を、減少する方向にスクロールする。また、表示制御部１５Ａは、例えば、スクロールエリア３７ｂに対するタッチ操作が行われると、図５Ｃに示すように、画像番号表示エリア３１Ａに表示される画像番号を、増加する方向にスクロールする。その結果、画像番号表示エリア３１Ａには、画像番号「４」〜「９」が表示される。したがって、操作者は、画像番号表示エリア３１Ａに所望の画像の画像番号が表示されていない場合には、画像番号表示エリア３１Ａの表示をスクロールして、所望の画像の画像番号が画像番号表示エリア３１Ａに表示されるようにする必要がある。
【００５２】
表示制御部１５Ａは、表示項目取得・設定部１５１Ａと、画像番号取得・設定部１５２Ａと、スクロール量取得・設定部１５３Ａとを備える。
【００５３】
表示項目取得部１５１Ａは、格納部１３を参照し、画像表示エリア３２に表示する画像の表示項目を取得し、取得した表示項目が画像表示エリア３２に表示されるように、表示画面３０Ａの設定を行う。
【００５４】
画像番号取得・設定部１５２Ａは、画像番号表示エリア３１Ａへのタッチ操作が行われると、格納部１３に格納されている画像番号の中から、タッチ操作によるタッチ位置（タップ位置）に表示された画像番号を特定（取得）し、特定した画像番号が画像番号表示エリア３１に表示されるように、表示画面３０Ａの設定を行う。
【００５５】
スクロール量取得・設定部１５３Ａは、スクロールエリア３７に対するタッチ操作が行われると、そのタッチ操作に応じた画像番号表示エリア３１Ａに表示される画像番号のスクロール量を特定（取得）し、特定したスクロール量だけ画像番号表示エリア３１Ａに表示される画像番号がスクロールされるように、表示画面３０Ａの設定を行う。
【００５６】
図６Ａ，６Ｂは、画像表示装置１０Ａの動作の一例を示すフローチャートである。図６Ａ，６Ｂにおいては、画像に対応付けて格納部１３に格納されている画像番号の数が、画像番号表示エリア３１Ａに表示可能な画像番号の数よりも多い場合を例として説明する。この場合、図５Ｂ，５Ｃに示した、画像番号表示エリア３１Ａ、画像表示エリア３２およびスクロールエリア３７を含む表示画面３０Ａが表示部１１に表示される。
【００５７】
画像表示装置１０Ａが搭載された測定器の電源がオンになると、表示制御部１５Ａは、表示画面３０Ａを表示部１１に表示する。上述したように、画像に対応付けて格納部１３に格納されている画像番号の数が、画像番号表示エリア３１Ａに表示可能な画像番号の数よりも多いので、表示制御部１５Ａは、図５Ｂに示す、スクロールエリア３７を含む表示画面３０Ａを表示部１１に表示する。ここで、表示制御部１５Ａは、初期状態では、先頭の画像番号から順に、画像番号表示エリア３１Ａに表示可能な数だけ、画像番号を画像番号表示エリア３１Ａに表示する。また、表示制御部１５Ａは、初期状態では、画像番号表示エリア３１Ａに表示された先頭の画像番号（画像番号「１」）に、カーソル３６を重畳して表示する（ステップＳ２０１）。
【００５８】
次に、表示制御部１５Ａ（表示項目取得・設定部１５１Ａ）は、カーソル３６が重畳した画像番号に対応付けて格納部１３に格納されている画像を画像表示エリア３２に表示する（ステップＳ２０２）。
【００５９】
次に、表示制御部１５Ａ（画像番号取得・設定部１５２Ａ）は、画像番号表示エリア３１Ａ内の画像番号に対するタッチ操作が行われたか否か、すなわち、画像番号表示エリア３１Ａ内の画像番号がタップされたか否かを判定する（ステップＳ２０３）。
【００６０】
画像番号表示エリア３１Ａ内の画像番号がタップされたと判定した場合には（ステップＳ２０３：Ｙｅｓ）、表示制御部１５Ａ（画像番号取得・設定部１５２Ａ）は、タップされた画像番号にカーソル３６を重畳して表示する（ステップＳ２０４）。
【００６１】
次に、表示制御部１５Ａ（表示項目取得・設定部１５１Ａ）は、カーソル３６が重畳した画像番号に対応付けて格納部１３に格納されている画像を画像表示エリア３２に表示し（ステップＳ２０５）、ステップＳ２０３の処理に戻る。
【００６２】
画像番号表示エリア３１Ａ内の画像番号がタップされていないと判定した場合には（ステップＳ２０３：Ｎｏ）、表示制御部１５Ａ（画像番号取得・設定部１５２Ａ）は、スクロールエリア３７ａに対するタッチ操作が行われたか否か、すなわち、スクロールエリア３７ａがタップされたか否かを判定する（ステップＳ２０６）。
【００６３】
スクロールエリア３７ａがタップされたと判定した場合には（ステップＳ２０６：Ｙｅｓ）、表示制御部１５Ａ（画像番号取得・設定部１５２Ａ）は、カーソル３６が画像番号表示エリア３１Ａ内で最上位の画像番号（上端に表示された画像番号）に重畳しているか否かを判定する（ステップＳ２０７）。
【００６４】
カーソル３６が画像番号表示エリア３１Ａ内で最上位の画像番号に重畳していると判定した場合には（ステップＳ２０７：Ｙｅｓ）、表示制御部１５Ａ（画像番号取得・設定部１５２Ａ）は、最上位の画像番号が、格納部１３に格納されている先頭の画像番号であるか否かを判定する（ステップＳ２０８）。
【００６５】
最上位の画像番号が先頭の画像番号であると判定した場合には（ステップＳ２０８：Ｙｅｓ）、表示制御部１５Ａ（画像番号取得・設定部１５２Ａ）は、上方向へのスクロール（画像番号を減少させる方向へのスクロール）を行うことができないので、表示部１１の表示はそのままで、ステップＳ２０３の処理に戻る。
【００６６】
最上位の画像番号が先頭の画像番号でないと判定した場合には（ステップＳ２０８：Ｎｏ）、表示制御部１５Ａ（スクロール量取得・設定部１５３Ａ）は、画像番号表示エリア３１Ａの表示を上方向にスクロールする（ステップＳ２０９）。具体的には、表示制御部１５Ａ（スクロール量取得・設定部１５３Ａ）は、タッチ操作に応じたスクロール量だけ、画像番号表示エリア３１Ａに表示される画像番号が減少する方向にスクロールする。
【００６７】
カーソル３６が最上位の画像番号に重畳していないと判定した場合（ステップＳ２０７：Ｎｏ）、および、ステップＳ２０９の処理の後、表示制御部１５Ａ（画像番号取得・設定部１５２Ａ）は、カーソル３６が現在重畳されている画像番号よりも１つ小さい画像番号にカーソル３６を重畳して表示する（ステップＳ２１０）。
【００６８】
次に、表示制御部１５Ａ（表示項目取得部１５１Ａ）は、カーソル３６が重畳した画像番号に対応付けて格納部１３に格納されている画像を画像表示エリア３２に表示し（ステップＳ２１１）、ステップＳ２０３の処理に戻る。
【００６９】
スクロールエリア３７ａがタップされていないと判定した場合には（ステップＳ２０６：Ｎｏ）、表示制御部１５Ａ（画像番号取得・設定部１５２Ａ）は、図６Ｂに示すように、スクロールエリア３７ｂがタップされたか否かを判定する（ステップＳ２１２）。
【００７０】
スクロールエリア３７ｂがタップされたと判定した場合には（ステップＳ２１２：Ｙｅｓ）、表示制御部１５Ａ（画像番号取得・設定部１５２Ａ）は、カーソル３６が画像番号表示エリア３１Ａ内で最下位の画像番号（下端に表示された画像番号）に重畳しているか否かを判定する（ステップＳ２１３）。
【００７１】
カーソル３６が画像番号表示エリア３１Ａ内で最下位の画像番号に重畳していると判定した場合には（ステップＳ２１３：Ｙｅｓ）、表示制御部１５Ａ（画像番号取得・設定部１５２Ａ）は、最下位の画像番号が、格納部１３に格納されている最終の画像番号であるか否かを判定する（ステップＳ２１４）。
【００７２】
最下位の画像番号が最終の画像番号であると判定した場合には（ステップＳ２１４：Ｙｅｓ）、表示制御部１５Ａ（画像番号取得・設定部１５２Ａ）は、下方向へのスクロール（画像番号を増加させる方向へのスクロール）を行うことができないので、表示部１１の表示はそのままで、図６Ａに示すステップＳ２０３の処理に戻る。
【００７３】
最下位の画像番号が最終の画像番号でないと判定した場合には（ステップＳ２１４：Ｎｏ）、表示制御部１５Ａ（スクロール量取得・設定部１５３Ａ）は、画像番号表示エリア３１Ａの表示を下方向にスクロールする（ステップＳ２１５）。具体的には、表示制御部１５Ａ（スクロール量取得・設定部１５３Ａ）は、タッチ操作に応じたスクロール量だけ、画像番号表示エリア３１Ａに表示される画像番号が増加する方向にスクロールする。
【００７４】
カーソル３６が最下位の画像番号に重畳していないと判定した場合（ステップＳ２１３：Ｎｏ）、および、ステップＳ２１５の処理の後、表示制御部１５Ａ（画像番号取得・設定部１５２Ａ）は、カーソル３６が現在重畳されている画像番号よりも１つ大きい画像番号にカーソル３６を重畳して表示する（ステップＳ２１６）。
【００７５】
次に、表示制御部１５Ａ（表示項目取得・設定部１５１Ａ）は、カーソル３６が重畳した画像番号に対応付けて格納部１３に格納されている画像を画像表示エリア３２に表示し（ステップＳ２１７）、図６Ａに示すステップＳ２０３の処理に戻る。
【００７６】
スクロールエリア３７ｂがタップされていないと判定した場合には（ステップＳ２１２：Ｎｏ）、表示制御部１５Ａは、画像表示装置１０Ａが搭載された測定器の電源をオフにするための操作が行われたか否かを判定する（ステップＳ２１８）。
【００７７】
測定器の電源をオフにするための操作が行われていないと判定した場合には（ステップＳ２１８：Ｎｏ）、表示制御部１５Ａは、図６Ａに示すステップＳ２０３の処理に戻る。
【００７８】
測定器の電源をオフにするための操作が行われたと判定した場合には（ステップＳ２１８：Ｙｅｓ）、表示制御部１５Ａは、処理を終了する。
【００７９】
画像表示装置１０Ａにおいては、操作者は、所望の画像の画像番号が画像番号表示エリア３１Ａに表示されていない場合には、スクロールエリア３７をタップして、所望の画像の画像番号が画像番号表示エリア３１Ａに表示されるまで、画像番号表示エリア３１Ａの表示をスクロールする必要がある。そのため、所望の画像を選択して表示部１１に表示するのに手間がかかるだけでなく、操作の直感性も損なわれる。また、画像表示装置１０Ａにおいては、表示対象の画像の総数（画像番号と対応付けて格納部１３に格納されている画像の数）を知るためには、画像番号表示エリア３１Ａの表示を下端までスクロールする必要があり、手間がかかる。
【００８０】
次に、本実施形態に係る画像表示装置１０の動作について、図７Ａ，７Ｂに示すフローチャートを参照して説明する。図７Ａ，７Ｂにおいては、画像に対応付けて格納部１３に格納されている画像番号の数が、画像番号表示エリア３１に表示可能な画像番号の数よりも多い場合を例として説明する。
【００８１】
画像表示装置１０が搭載された測定器２０の電源がオンになると、表示制御部１５は、表示画面３０を表示部１１に表示する。ここで、表示制御部１５は、画像番号表示エリア３１の一端３１ａに、画像に対応付けて格納部１３に格納されている画像番号のうち、先頭の画像番号を表示し、画像番号表示エリア３１の他端３１ｂに、画像に対応付けて格納部１３に格納されている画像番号のうち、最終の画像番号を表示する。また、表示制御部１５は、初期状態では、先頭の画像番号（画像番号「１」）にカーソル３６を重畳して表示する（ステップＳ１０１）。
【００８２】
次に、表示制御部１５（表示項目取得・設定部１５１）は、カーソル３６が重畳した画像番号に対応付けて格納部１３に格納されている画像を画像表示エリア３２に表示する（ステップＳ１０２）。
【００８３】
次に、表示制御部１５（画像番号取得・設定部１５２）は、画像番号表示エリア３１に対するタッチ操作が行われたか否か、すなわち、画像番号表示エリア３１がタップされたか否かを判定する（ステップＳ１０３）。
【００８４】
画像番号表示エリア３１がタップされたと判定された場合には（ステップＳ１０３：Ｙｅｓ）、表示制御部１５（画像番号取得・設定部１５２）は、タッチ操作によるタッチ位置に応じた画像番号を特定し、特定した画像番号を画像番号表示エリア３１に表示する。そして、表示制御部１５は、特定した画像番号にカーソル３６を重畳して表示する（ステップＳ１０４）。
【００８５】
ここで、表示制御部１５（画像番号取得・設定部１５２）は、画像番号表示エリア３１の一端３１ａから他端３１ｂに向かう方向におけるタッチ操作によるタッチ位置と、最終の画像番号とに基づき、タッチ位置に応じた画像を特定する。具体的には、表示制御部１５（画像番号取得・設定部１５２）は、画像番号表示エリア３１が延在する所定方向（図３では、紙面上下方向）に延在し、画像番号表示エリア３１の一端３１ａを原点とする座標軸を設定する。そして、表示制御部１５（画像番号取得・設定部１５２）は、その座標系における、画像番号表示エリア３１の他端３１ｂの座標と、タッチ位置の座標と、最終の画像番号とに基づき、タッチ位置に応じた画像番号を特定する。具体的には、表示制御部１５（画像番号取得・設定部１５２）は、以下の式に基づき、タッチ位置に応じた画像番号を算出する。
タッチ位置に応じた画像番号
＝タッチ位置の座標／画像番号表示エリア３１の他端３１ｂの座標×最終の画像番号
【００８６】
すなわち、表示制御部１５（画像番号取得・設定部１５２）は、画像番号表示エリア３１の一端３１ａからタッチ位置までの距離と、画像番号表示エリア３１の一端３１ａから画像番号表示エリア３１の他端３１ｂまでの距離との比に、最終の画像番号を乗算することで、タッチ位置に応じた画像番号を特定する。なお、上述した式では、タッチ位置によっては、計算結果が小数点以下の数値を含むことがある。この場合、表示制御部１５（画像番号取得・設定部１５２）は、例えば、小数点以下を切り上げて、タッチ位置に応じた画像番号を特定する。例えば、画像番号表示エリアの他端３１ｂの座標を「１０」とし、タッチ位置の座標を「４．５」とし、最終の画像番号を「１０」とすると、上述した式の計算結果は、４．５となる。この場合、表示制御部１５（画像番号取得・設定部１５２）は、小数点以下を切り上げて、タッチ位置に応じた画像番号として「５」を特定する。
【００８７】
次に、表示制御部１５（表示項目取得・設定部１５１）は、カーソル３６が重畳した画像番号に対応付けて格納部１３に格納されている画像を画像表示エリア３２に表示し（ステップＳ１０５）、ステップＳ１０３の処理に戻る。
【００８８】
したがって、本実施形態に係る画像表示装置１０においては、図８Ａに示すように、最初の画像番号（画像番号「１」）と最後の画像番号（画像番組「１０」）との間の画像番号表示エリア３１内の破線で示す領域がタップされると、タップされた位置に応じた画像番号（図８Ａでは、画像番号「３」）が、カーソル３６と重畳して表示される。そして、画像表示エリア３２には、タップされた位置に応じた画像番号の画像（図８Ａでは、画像番号「３」の画像）が表示される。
【００８９】
上述したように、表示制御部１５（画像番号表示位置取得・設定部１５３）は、画像表示エリア３２に表示中の画像の画像番号を、画像番号表示エリア３１内で、その画像番号に応じた位置に表示する。表示制御部１５（画像番号表示位置取得・設定部１５３）は、上述した座標系を用いて、以下の式に基づき、画像表示エリア３２に表示中の画像の画像番号の表示位置（座標）を算出する。
画像表示エリア３２に表示中の画像の画像番号の表示位置（座標）
＝表示中の画像の画像番号／最終の画像番号×画像番号表示エリア３１の他端３１ｂの座標
【００９０】
上記の式より、画像表示エリア３２に表示中の画像の画像番号は、その画像番号に応じた位置に表示されることが分かる。すなわち、画像表示エリア３２に表示中の画像の画像番号が、先頭の画像番号に近いほど、先頭の画像番号に近い位置に表示される。また、画像表示エリア３２に表示中の画像の画像番号が、最終の画像番号に近いほど、最終の画像番号に近い位置に表示される。
【００９１】
図７Ａを再び参照すると、画像番号表示エリア３１がタップされていないと判定した場合には（ステップＳ１０３：Ｎｏ）、表示制御部１５（画像番号取得・設定部１５２）は、画像送りエリア３３ａがタップされたか否かを判定する（ステップＳ１０６）。
【００９２】
画像送りエリア３３ａがタップされたと判定した場合には（ステップＳ１０６：Ｙｅｓ）、表示制御部１５（画像番号取得・設定部１５２）は、画像表示エリア３２に表示中の画像の画像番号が、先頭の画像番号であるか否かを判定する（ステップＳ１０７）。
【００９３】
画像表示エリア３２に表示中の画像の画像番号が先頭の画像番号であると判定した場合には（ステップＳ１０７：Ｙｅｓ）、表示制御部１５（画像番号取得・設定部１５２）は、画像番号をさらに減少させることができないので、表示部１１の表示はそのままで、ステップＳ１０３の処理に戻る。
【００９４】
画像表示エリア３２に表示中の画像の画像番号が先頭の画像番号でないと判定した場合には（ステップＳ１０７：Ｎｏ）、表示制御部１５（画像番号取得・設定部１５２）は、カーソル３６が現在重畳されている画像番号よりも１つ小さい画像番号をその画像番号に応じた位置にカーソル３６を重畳して表示する（ステップＳ１０８）。
【００９５】
次に、表示制御部１５（表示項目取得・設定部１５１）は、カーソル３６が重畳した画像番号に対応付けて格納部１３に格納されている画像を画像表示エリア３２に表示し（ステップＳ１０９）、ステップＳ１０３の処理に戻る。
【００９６】
画像送りエリア３３ａがタップされていないと判定した場合には（ステップＳ１０６：Ｎｏ）、表示制御部１５（画像番号取得・設定部１５２）は、図７Ｂに示すように、画像送りエリア３３ｂがタップされたか否かを判定する（ステップＳ１１０）。
【００９７】
画像送りエリア３３ｂがタップされたと判定した場合には（ステップＳ１１０：Ｙｅｓ）、表示制御部１５（画像番号取得・設定部１５２）は、画像表示エリア３２に表示中の画像の画像番号が、最終の画像番号であるか否かを判定する（ステップＳ１１１）。
【００９８】
画像表示エリア３２に表示中の画像の画像番号が最終の画像番号であると判定した場合には（ステップＳ１１１：Ｙｅｓ）、表示制御部１５（画像番号取得・設定部１５２）は、画像番号をさらに増加させることができないので、表示部１１の表示はそのままで、図７Ａに示すステップＳ１０３の処理に戻る。
【００９９】
画像表示エリア３２に表示中の画像の画像番号が最終の画像番号でないと判定した場合には（ステップＳ１１１：Ｎｏ）、表示制御部１５（画像番号取得・設定部１５２）は、カーソル３６が現在重畳されている画像番号よりも１つ大きい画像番号をその画像番号に応じた位置にカーソル３６を重畳して表示する（ステップＳ１１２）。
【０１００】
次に、表示制御部１５（表示項目取得・設定部１５１）は、カーソル３６が重畳した画像番号に対応付けて格納部１３に格納されている画像を画像表示エリア３２に表示し（ステップＳ１１３）、図７Ａに示すステップＳ１０３の処理に戻る。
【０１０１】
したがって、本実施形態に係る画像表示装置１０においては、図８Ｂに示すように、破線で示す画像送りエリア３３ｂがタップされると、画像表示エリア３２に表示中の画像の画像番号（図８Ｂでは、画像番号「３」）よりも所定数（例えば、１つ）大きい画像番号（図８Ｂでは、画像番号「４」）が、その画像番号に応じた位置カーソル３６と重畳して表示される。そして、画像表示エリア３２には、カーソル３６が重畳した画像番号の画像（図８Ｂでは、画像番号「４」の画像）が表示される。
【０１０２】
図７Ｂを再び参照すると、画像送りエリア３３ｂがタップされていないと判定した場合には（ステップＳ１１０：Ｎｏ）、表示制御部１５は、画像表示装置１０が搭載された測定器２０の電源をオフにするための操作が行われたか否かを判定する（ステップＳ１１４）。
【０１０３】
測定器２０の電源をオフにするための操作が行われていないと判定した場合には（ステップＳ１１４：Ｎｏ）、表示制御部１５は、図７Ａに示すステップＳ１０３の処理に戻る。
【０１０４】
測定器２０の電源をオフにするための操作が行われたと判定した場合には（ステップＳ１１４：Ｙｅｓ）、表示制御部１５は、処理を終了する。
【０１０５】
本実施形態に係る画像表示装置１０においては、画像番号表示エリア３１の一端３１ａに先頭の画像番号が表示され、他端３１ｂに最後の画像番号が表示される。そして、画像番号表示エリア３１にタッチ操作が行われると、画像番号表示エリア３１の一端３１ａから他端３１ｂに向かう方向におけるタッチ操作によるタッチ位置と、最終の画像番号とに基づいて、タッチ位置に応じた画像番号の画像が画像表示エリア３２に表示される。そのため、表示対象の画像の数が多い場合にも、操作者が所望の画像の画像番号の付近であると推測する位置にタッチ操作を行うだけで、所望の画像あるいはその画像と画像番号の近い画像に遷移することができるので、所望の画像を選択して表示部１１に表示する手間を削減し、操作性の向上を図ることができる。また、画像番号表示エリア３１に最後の画像番号が表示されるので、画像番号表示エリア３１の表示のスクロールを行うことなく、表示対象の画像の総数を容易に把握することができる。
【０１０６】
以下では、本実施形態に係る画像表示装置１０と、参考例としての画像表示装置１０Ａとの操作の違いについて、具体的な表示例を挙げて説明する。
【０１０７】
まず、画像表示エリア３２に表示される画像を、先頭の画像番号「１」の画像から、最終の画像番号「１０」の画像に変更する場合を例として説明する。
【０１０８】
画像表示装置１０Ａにおいては、まず、図５Ｂに示す表示画面３０Ａに含まれる画像番号表示エリア３１Ａの下端３１ａに表示された画像番号「６」がタップされる。画像番号「６」のタップに応じて、画像番号「６」にカーソル３６が重畳して表示されるとともに、画像表示エリア３２には、画像番号「６」の画像が表示される。次に、スクロールエリア３７ｂがタップされる。スクロールエリア３７ｂのタップに応じて、画像番号表示エリア３１Ａの表示が下方向（表示される画像番号が増加する方向）にスクロールされ、画像番号表示エリア３１Ａの下端３１ｂに画像番号「７」が表示される。同様にして、スクロールエリア３７ｂが３回タップされると、画像番号表示エリア３１Ａの下端３１ｂに画像番号「１０」が表示される。そして、画像番号「１０」がタップされると、画像番号「１０」にカーソル３６が重畳して表示されるとともに、画像表示エリア３２には、画像番号「１０」の画像が表示される。このように、画像表示装置１０Ａでは、所望の画像を表示するために、３回のタッチ操作が必要となる。
【０１０９】
一方、本実施形態に係る画像表示装置１０においては、まず、図３に示す表示画面３０に含まれる画像番号表示エリア３１の下端３１ｂ（画像番号「１０」）の近傍がタップされる。画像番号表示エリア３１のタップに応じて、画像番号「１０」あるいはそれに近い画像番号の画像が、画像表示エリア３２に表示される。例えば、画像番号「９」の画像が画像表示エリア３２に表示されたとする。この場合、画像送りエリア３３ｂが１回タップされる。画像送りエリア３３ｂのタップに応じて、画像表示エリア３２には、画像表示エリア３２に表示中の画像の画像番号「９」から画像番号が１つ増加した画像番号「１０」の画像が表示される。このように、画像表示装置１０においては、最短で１回のタッチ操作で所望の画像を表示することができる。
【０１１０】
次に、画像表示エリア３２に表示される画像を、画像番号「１０」の画像から、画像番号「３」の画像に変更する場合を例として説明する。
【０１１１】
画像表示装置１０Ａにおいては、画像表示エリア３２に画像番号「１０」の画像が表示されている場合には、画像番号表示エリア３１Ａには、画像番号「５」〜「１０」が表示される。そこで、まず、画像番号表示エリア３１Ａの上端３１ａの画像番号「５」がタップされる。画像番号「５」のタップに応じて、画像番号「５」にカーソル３６が重畳して表示されるとともに、画像表示エリア３２には、画像番号「５」の画像が表示される。次に、スクロールエリア３７ａがタップされる。スクロールエリア３７ｂのタップに応じて、画像番号表示エリア３１Ａの表示が上方向（表示される画像番号が減少する方向）にスクロールされ、画像番号表示エリア３１Ａの上端３１ａに画像番号「４」が表示される。同様にして、スクロールエリア３７ｂがもう１回タップされると、画像番号表示エリア３１Ａの上端３１ａに画像番号「３」が表示される。そして、画像番号「３」がタップされると、画像番号「３」にカーソル３６が重畳して表示されるとともに、画像表示エリア３２には、画像番号「３」の画像が表示される。このように、画像表示装置１０Ａでは、所望の画像を表示するために、３回のタッチ操作が必要となる。
【０１１２】
一方、本実施形態に係る画像表示装置１０においては、まず、図３に示す表示画面３０に含まれる画像番号表示エリア３１の中央よりも少し上側の位置（操作者が画像番号「３」の付近であると推測する位置）がタップされる。画像番号表示エリア３１の中央よりも少し上側の位置のタップに応じて、画像番号「３」あるいはそれに近い画像番号の画像が、画像表示エリア３２に表示される。例えば、画像番号「４」の画像が画像表示エリア３２に表示されたとする。この場合、画像送りエリア３３ａが１回タップされる。画像送りエリア３３ａのタップに応じて、画像表示エリア３２には、画像表示エリア３２に表示中の画像の画像番号「４」から画像番号が１つ減少した画像番号「３」の画像が表示される。このように、画像表示装置１０においては、最短で１回のタッチ操作で所望の画像を表示することができる。
【０１１３】
画像表示装置１０Ａにおいては、表示対象の画像として多数の画像が設定されている場合、画像表示エリア３２に表示中の画像の画像番号から離れた画像番号の画像に表示を変更するためには、画像番号表示エリア３１ａの表示をスクロールするための多数の操作が必要となり、操作性が悪い。一方、本実施形態に係る画像表示装置１０においては、操作者が所望の画像の画像番号と推測する位置へのタッチ操作を行うことで、所望の画像あるいはその画像と画像場号の近い画像に遷移することができる。そのため、表示対象として設定された画像の数が増加した場合にも、直感的な操作が可能となり、所望の画像を選択して表示部に表示する手間を削減し、操作性の向上を図ることができる。
【０１１４】
なお、上述したように、格納部１３に格納され、画像表示エリア３２に表示される画像は、例えば、測定器２０の測定結果を種々の態様で示す画像である。本実施形態に係る画像表示装置１０が搭載される測定器２０が電力測定器である場合には、表示部１１は、例えば、測定器２０による電力、電圧、電流など測定値を示す画像（図９Ａ）、電流、電圧の波形表示を示す画像（図９Ｂ）、ベクトル表示を示す画像（図９Ｃ）、バーグラフ表示を示す画像（図９Ｄ）、トレンド表示を示す画像（図９Ｅ）などを表示する。なお、ベクトル表示とは、電圧、電流の基本波の位相差をベクトルで表示したものである。また、バーグラフ表示とは、電圧、電流の高調波の大きさをバーグラフで表示したものである。また、トレンド表示とは、測定器２０の測定値の時系列的なトレンド（推移）を表示したものである。また、表示部１１が表示する画像には、例えば、表示領域１１ａを二分割し、各分割領域に上述した異なる態様で測定結果を示す画像（図９Ｆ，９Ｇ）が含まれる。図９Ｆには、表示部１１の表示領域１１ａを上下に二分割し、上側の分割領域に、測定器２０による電力、電圧、電流など測定値を示し、下側の分割領域に、波形表示を示す画像の例を示している。また、図９Ｇには、表示部１１の表示領域１１ａを上下に二分割し、上側の分割領域に、測定器２０による電力、電圧、電流など測定値を示し、下側の分割領域に、ベクトル表示を示す画像の例を示している。
【０１１５】
次に、本実施形態に係る画像表示装置１０における画像表示方法について説明する。なお、本実施形態に係る画像表示プログラムは、本実施形態に係る画像表示方法に含まれる各ステップを画像表示装置１０内のコンピュータに実行させるものである。
【０１１６】
本実施形態に係る画像表示方法は、格納部１３が、複数の画像と、複数の画像それぞれに所定の順番で割り当てられた画像番号とを対応付けて格納するステップと、表示制御部１５が、格納されている画像番号のうち、先頭の画像番号が一端３１ａに配置され、最終の画像番号が他端３１ｂに配置された画像番号表示エリア３１と、格納されている画像を表示する画像表示エリア３２とを含む表示画面３０を表示領域１１ａに表示するステップと、表示制御部１５が、画像番号表示エリア３１へのタッチ操作が行われると、格納されている画像番号の中から、画像番号表示エリア３１における一端３１ａから他端３１ｂに向かう方向におけるタッチ操作によるタッチ位置と、最終の画像番号とに基づいて、タッチ位置に応じた画像番号を特定し、特定した画像番号に対応付けて格納されている画像を画像表示エリア３２に表示するステップと、を含む。
【０１１７】
ここで、特定した画像番号に対応付けて格納されている画像を画像表示エリア３２に表示するステップでは、画像表示エリア３２に表示中の画像の画像番号を、画像番号表示エリア３１に表示してもよい。また、画像表示エリア３２に表示中の画像の画像番号を、画像番号表示エリア３１内で、画像番号に応じた位置に表示してもよい。
【０１１８】
また、特定した画像番号に対応付けて格納されている画像を画像表示エリア３２に表示するステップでは、画像表示エリア３２に表示される画像の画像番号を、画像表示エリア３２に表示中の画像の画像番号から増減させる画像送りエリア３３を表示画面３０にさらに含めてもよい。
【０１１９】
また、特定した画像番号に対応付けて格納されている画像を画像表示エリア３２に表示するステップでは、画像番号表示エリア３１が延在する所定方向に延在し、画像番号表示エリア３１の一端３１ａを原点とする座標軸における、画像番号表示エリア３１の他端３１ｂの座標と、タッチ位置の座標と、最終の画像番号とに基づき、タッチ位置に応じた画像番号を特定してもよい。
【０１２０】
このように本実施形態によれば、画像表示装置１０は、表示領域１１ａを備えた表示部１１と、表示領域１１ａに対するタッチ操作を受け付ける操作部１２と、複数の画像と、複数の画像それぞれに所定の順番で割り当てられた画像番号とを対応付けて格納する格納部１３と、格納部１３に格納されている画像番号のうち、先頭の画像番号が一端３１ａに配置され、最終の画像番号が他端３１ｂに配置された画像番号表示エリア３１と、格納部１３に格納されている画像を表示する画像表示エリア３２とを含む表示画面３０を表示領域１１ａに表示する表示制御部１５と、を備える。表示制御部１５は、画像番号表示エリア３１へのタッチ操作が行われると、格納部１３に格納されている画像番号の中から、画像番号表示エリア３１の一端３１ａから他端３１ｂに向かう方向におけるタッチ操作によるタッチ位置と、最終の画像番号とに基づいて、タッチ位置に応じた画像番号を特定し、特定した画像番号に対応付けて格納部１３に格納されている画像を画像表示エリア３２に表示する。
【０１２１】
画像番号表示エリア３１にタッチ操作が行われると、画像番号表示エリア３１の一端３１ａから他端３１ｂに向かう方向におけるタッチ操作によるタッチ位置と、最終の画像番号とに基づいて、タッチ位置に応じた画像番号の画像が画像表示エリア３２に表示される。そのため、操作者が所望の画像の画像番号の付近であると推測する位置にタッチ操作を行うだけで、所望の画像あるいはその画像と画像番号の近い画像に遷移することができるので、所望の画像を選択して表示部１１に表示する手間を削減し、操作性の向上を図ることができる。また、画像番号表示エリア３１に最後の画像番号が表示されるので、画像番号表示エリア３１の表示のスクロールを行うことなく、表示対象の画像の総数を容易に把握することができる。
【０１２２】
以上、画像表示装置１０について説明したが、画像表示装置１０として機能させるために、コンピュータを好適に用いることが可能である。そのようなコンピュータは、画像表示装置１０の各機能を実現する処理内容を記述したプログラムを、該コンピュータの記憶部に格納しておき、該コンピュータのＣＰＵによってこのプログラムを読み出して実行させることで実現することができる。
【０１２３】
また、プログラムは、コンピュータが読取り可能な記録媒体に記録されていてもよい。このような記録媒体を用いれば、プログラムをコンピュータにインストールすることが可能である。ここで、プログラムが記録された記録媒体は、非一過性の記録媒体であってもよい。非一過性の記録媒体は、特に限定されるものではないが、例えば、ＣＤ−ＲＯＭやＤＶＤ−ＲＯＭなどの記録媒体であってもよい。
【０１２４】
本発明は、上述した実施形態で特定された構成に限定されず、特許請求の範囲に記載した発明の要旨を逸脱しない範囲内で種々の変形が可能である。例えば、各構成部、各ステップなどに含まれる機能などは論理的に矛盾しないように再構成可能であり、複数の構成部またはステップなどを１つに組み合わせたり、あるいは分割したりすることが可能である。
【符号の説明】
【０１２５】
１０，１０Ａ    画像表示装置
１１    表示部
１１ａ    表示領域
１２    操作部
１３    格納部
１４    操作情報検出部
１４１    タップ位置検出部
１５，１５Ａ    表示制御部
１５１，１５１Ａ    表示項目取得・設定部
１５２，１５２Ａ    画像番号取得・設定部
１５３    画像番号表示位置取得・設定部
１５３Ａ    スクロール量取得・設定部
２０    測定器
２１    キー
３０，３０Ａ    表示画面
３１，３１Ａ    画像番号表示エリア
３１ａ    画像番号表示エリアの一端（上端）
３１ｂ    画像番号表示エリアの他端（下端）
３２    画像表示エリア
３３，３３ａ，３３ｂ    画像送りエリア
３４    先頭の画像番号
３５    最終の画像番号
３６    カーソル
３７，３７ａ，３７ｂ    スクロールエリア
３８    破線
【図１】
2019185566.tif 000003
【図２】
2019185566.tif 000004
【図３】
2019185566.tif 000005
【図４】
2019185566.tif 000006
【図５Ａ】
2019185566.tif 000007
【図５Ｂ】
2019185566.tif 000008
【図５Ｃ】
2019185566.tif 000009
【図６Ａ】
2019185566.tif 000010
【図６Ｂ】
2019185566.tif 000011
【図７Ａ】
2019185566.tif 000012
【図７Ｂ】
2019185566.tif 000013
【図８Ａ】
2019185566.tif 000014
【図８Ｂ】
2019185566.tif 000015
【図９Ａ】
2019185566.tif 000016
【図９Ｂ】
2019185566.tif 000017
【図９Ｃ】
2019185566.tif 000018
【図９Ｄ】
2019185566.tif 000019
【図９Ｅ】
2019185566.tif 000020
【図９Ｆ】
2019185566.tif 000021
【図９Ｇ】
2019185566.tif 000022